(57)【要約】【課題】長辺小口面から入隅面までの寸法が小さいＬ型コーナーパネルを用いる必要がある場合でも、躯体に対して十分な強度で取り付けられ、施工性に優れ、かつ、意匠設計上の自由度の高いコーナーパネルおよびその取付構造を実現する。【解決手段】コーナーパネル１ｂを、横断面形状が不等辺のＬ字形で、長辺を構成するパネル本体１１と、短辺を構成する突出部１２とから構成し、突出部１２の突出量δをパネル本体１１の厚さ寸法ｔ以下に規制し、突出部１２は躯体に対して固定せずに、パネル本体１１の上下２個所位置のみを、アンカー挿入孔１５に挿入したアンカー１９を利用して、取付金具２２とボルト２３とにより躯体に対して固定する。【選択図】図２
2011099279.tif 000002
【特許請求の範囲】
【請求項１】
横断面形状がＬ字形で、長辺を構成するパネル本体と、該パネル本体のパネル幅方向片端部からパネル厚さ方向片側に向けて突出し、短辺を構成する突出部とからなり、該突出部の突出量は前記パネル本体の厚さ寸法以下であり、該パネル本体のパネル幅方向略中央部の上下２箇所でのみ、建物躯体に取り付けられるようになっていることを特徴とするコーナーパネル。
【請求項２】
前記パネル本体のパネル幅方向略中央部の上下２箇所に、パネル取付用アンカーを挿入するためのアンカー挿入孔が設けられている、請求項１に記載のコーナーパネル。
【請求項３】
前記パネル本体の一方の主面の上下方向２個所位置に、前記アンカー挿入孔のそれぞれに対して直交する状態で連通する、ボルト挿入孔が設けられている、請求項２に記載したコーナーパネル。
【請求項４】
コーナーパネルの建物躯体への取付構造であって、該コーナーパネルが請求項１に記載のコーナーパネルであり、前記躯体が、上下方向に離隔した状態でそれぞれ水平方向に配設された上部躯体と下部躯体であり、前記パネル本体のパネル幅方向略中央部の上下２箇所が、該上部躯体と下部躯体のそれぞれに取り付けられていることを特徴とするコーナーパネルの取付構造。
【請求項５】
コーナーパネルの建物躯体への取付構造であって、該コーナーパネルが請求項２または３のいずれか一項に記載のコーナーパネルであり、前記躯体が、上下方向に離隔した状態でそれぞれ水平方向に配設された上部躯体と下部躯体であり、前記コーナーパネルに設けられた２つのアンカー挿入孔に、その長さ方向一部にねじ孔を有するパネル取付用アンカーをそれぞれ挿入し、先端側に雄ねじ部を有するボルトを、取付金具に設けた挿通孔に挿通させた状態で、それぞれの雄ねじ部を前記各ねじ孔に螺合させており、前記取付金具が前記上部躯体および下部躯体のそれぞれに固定されていることを特徴とするコーナーパネルの取付構造。
【発明の詳細な説明】
【技術分野】
【０００１】
本発明は、建物のコーナー部を構築する、軽量気泡コンクリート（ＡＬＣ）パネル、プレキャストコンクリート（ＰＣ）パネルなどを用いたコーナーパネル、および、該コーナーパネルの躯体への取付構造に関する。
【背景技術】
【０００２】
ＡＬＣパネルやＰＣパネルを用いて、建物のコーナー部（出隅部あるいは入隅部）を縦壁により構築する場合、通常の縦壁パネルを用いて、一方のパネルの長辺小口面と他方のパネルの横幅方向端部とを突き合わせた構成（特許文献１参照）や、横断面形状がＬ字形であるＬ型コーナーパネルの長辺小口面の両側に通常の縦壁パネルの長辺小口面を突き合わせた構成（特許文献２参照）などが一般的に採られている。
【０００３】
前者の場合、通常のコーナー部の構築には用いうるが、たとえば、出隅部と入隅部がパネル横幅より狭い間隔で連続するような連続コーナー部などには用いることができない。また、この構成の場合、出隅部に目地ができるなどの外観上の問題が生ずる場合もある。
【０００４】
このような連続コーナー部の構築を含めて、特許文献２に記載されるようなＬ型コーナーパネルが広く使用されている。この場合、図８の（ａ）、（ｂ）に示すように、コーナーパネル１を、目地プレート２、コーナープレート３、アンカー４、Ｏボルト５、および、ナット６を利用して、躯体である角柱７に対して取り付けている。
【０００５】
具体的には、角柱７に、一対の目地プレート２を溶接により立設し、それぞれの目地プレート２に、全体が略Ｌ字形であるコーナープレート３の一片を溶接により固定している。一方、コーナーパネル１には、その内部にアンカー４を埋設し、各アンカー４に対して、Ｏボルト５の基端部をそれぞれ係合させ、各Ｏボルト５の先端部を、コーナーパネル１の裏面からそれぞれ突出させている。そして、各Ｏボルト５の先端部を、各コーナープレート３の他片に穿設した通孔８に挿通した後、各ナット６をそれぞれ固定することで、コーナーパネル１を角柱７に対して取り付けている。
【０００６】
ところで、従来から使用されている一般的なＬ型コーナーパネルのサイズは、ＡＬＣパネルの場合、図８の（ｂ）における出隅部の幅ａが３００ｍｍ〜４００ｍｍ、厚さｔが１００ｍｍ〜１５０ｍｍ程度であり、コーナーパネル１の長辺小口面９から入隅面１０までの寸法ｂは、１５０ｍｍ〜３００ｍｍ程度である。このような一般的なサイズのコーナーパネルの場合には問題となりにくいが、図９に示すような、長辺小口面９ａから入隅面１０ａまでの寸法ｂ´が５０ｍｍ程度と比較的小さいコーナーパネル１ａの場合、上述した従来の取付構造を採用した場合に、次のような問題を生じる可能性がある。
【０００７】
すなわち、コーナーパネル１ａを角柱７に対して取り付けるために利用するＯボルト５は、コーナーパネル１ａの裏面のほぼ同じ高さ位置から、互いに直交する状態で設けられるため、長辺小口面９ａから入隅面１０ａまでの寸法が小さくなると、各Ｏボルト５の先端部同士が干渉しやすくなる。このため、コーナーパネル１ａの施工性が低下し、最悪の場合には、各Ｏボルト５を取り付けることができなくなるといった問題を生じる可能性がある。
【０００８】
また、このようなＬ型コーナーパネルの躯体である角柱に対する取付けは、図８（ａ）に示すように、少なくとも各入隅面ごとに上下２箇所の合計４箇所で行われるため、この面からも施工性が低下しやすくなる。さらに、Ｌ型コーナーパネルを支持するための角柱の存在や、コーナーの両側に形成される目地部の存在により、壁面の意匠設計上の自由度が低くなる。この結果、建築主の要求に応えることが難しくなる可能性がある。
【先行技術文献】
【特許文献】
【０００９】
【特許文献１】特開２００１−２４８２４９号公報
【特許文献２】特開平１０−３３８９８１号公報
【発明の概要】
【発明が解決しようとする課題】
【００１０】
本発明は、上述のような事情に鑑み、連続コーナー部など、長辺小口面から入隅面までの寸法が小さいＬ型コーナーパネルを用いる必要がある場合でも、躯体に対して十分な強度で取り付けられると共に、施工性に優れ、しかも意匠設計上の自由度の高いコーナーパネル、および、その取付構造を実現することを目的とする。
【課題を解決するための手段】
【００１１】
本発明のコーナーパネルは、横断面形状がＬ字形で、長辺を構成するパネル本体と、該パネル本体のパネル幅方向片端部からパネル厚さ方向片側に向けて突出し、短辺を構成する突出部とからなり、該突出部の突出量は前記パネル本体の厚さ寸法以下であり、該パネル本体のパネル幅方向略中央部の上下２箇所でのみ、建物躯体に取り付けられるようになっていることを特徴とする。
【００１２】
該コーナーパネルは、上下方向に離隔した状態でそれぞれ水平方向に配設された上部躯体と下部躯体とからなる建物躯体に対して、前記パネル本体のパネル幅方向略中央部の上下２箇所が取り付けられる。
【００１３】
より具体的には、前記パネル本体のパネル幅方向略中央部の上下２箇所に、パネル取付用アンカーを挿入するためのアンカー挿入孔が設けられている。かかるアンカー挿入孔は、たとえば、前記パネル本体の上下両短辺小口面のパネル幅方向略中央部から、該短辺小口面に対して直交する方向に、もしくは、前記パネル本体の長辺小口面のパネル長手方向略上下端部から、前記短辺小口面に対して平行となる方向に、穿設される。また、前記パネル本体の一方の主面の上下方向２個所位置に、前記アンカー挿入孔のそれぞれに対して直交する状態で連通する、ボルト挿入孔が設けられている。
【００１４】
そして、前記コーナーパネルに設けられた２つのアンカー挿入孔に、その長さ方向一部にねじ孔を有するパネル取付用アンカーをそれぞれ挿入し、先端側に雄ねじ部を有するボルトを、取付金具に設けた挿通孔に挿通させた状態で、それぞれの雄ねじ部を前記各ねじ孔に螺合させ、前記取付金具が前記上部躯体および下部躯体のそれぞれに固定されることにより、該コーナーパネルは躯体に取り付けられる。
【発明の効果】
【００１５】
本発明に係るコーナーパネルの場合には、長辺小口面から入隅面までの寸法に相当する、突出部の突出量を、パネル厚さ寸法との関係で適正に規制しているだけでなく、躯体への取付けに際してアンカーを利用できるため、前記突出部を躯体に対して固定することなく、パネル本体の上下２個所位置のみを躯体に固定するだけで、コーナーパネル全体としての躯体に対する取付強度を十分に確保できる。
【００１６】
また、前記突出部を躯体に対して固定する必要がないため、取付部材同士の干渉を生じることがなく、これに起因した施工性の低下を招くことがなくなる。また、躯体に対する取付個所を２個所と少なくできるため、施工性の向上を図ることができる。
【００１７】
さらに、前記パネル本体の上下２個所位置のみを躯体に対して固定するため、この躯体として、従来構造では必要とされる角柱を使用しなくて済む。また、少なくとも出隅部の一方で目地を省略できる。したがって、壁面の意匠設計上の自由度を向上させることができる。
【図面の簡単な説明】
【００１８】
【図１】本発明の実施の形態の１例に係る、出隅部用コーナーパネルの取付構造を屋内側から見た状態で示す立面図である。
【図２】同じく図１のＡ−Ａ´断面図である。
【図３】同じく図１のＢ−Ｂ´断面図である。
【図４】本発明の実施の形態の第２例を示す、図２に相当する断面図である。
【図５】本発明の実施の形態の第３例に係る、入隅部用コーナーパネルの取付構造を屋外側から見た状態で示す立面図である。
【図６】同じく図５のＣ−Ｃ´断面図である。
【図７】同じく図５のＤ−Ｄ´断面図である。
【図８】従来の出隅部用コーナーパネルの取付構造を示す図で、（ａ）は部分切断斜視図であり、（ｂ）は横断面図である。
【図９】同じく長辺小口面から入隅面までの寸法が小さい場合を示す図である。
【発明を実施するための形態】
【００１９】
［実施の形態の第１例］
図１〜３は、本発明の実施の形態の第１例を示している。本例では、建物の出隅部用パネルとして好適なコーナーパネルの構造、および、該コーナーパネルを躯体に対して取り付ける際に好適な取付構造について説明する。
【００２０】
本例に用いるコーナーパネル１ｂは、ＡＬＣパネルやＰＣパネルにより構成され、横断面形状が不等辺のＬ字形のＬ型パネルであって、長辺を構成するパネル本体１１と、短辺を構成する突出部１２とからなる。
【００２１】
このうちの突出部１２は、パネル本体１１のパネル幅方向片端部（図１、２の左端部、図３の奥端部）から、パネル厚さ方向片側（図１の手前側、図２の下側、図３の左側であり、屋内側）に向けて突出する状態で設けられている。また、コーナーパネル１ｂの長辺小口面９ａ、９ｂから入隅面１０ａ、１０ｂまでの寸法のうち、短い方の寸法に相当する、パネル本体１１の屋内側主面１３ａからの突出部１２の突出量δは、このパネル本体１１のパネル厚さ寸法Ｔ以下（好ましくは、厚さ寸法ｔの１／４倍〜１倍、より好ましくは１／４倍〜１／２倍）に規制している。なお、図示の例では、この突出量δを厚さ寸法ｔのおよそ半分（１／２倍）の長さに規制している。
【００２２】
ＡＬＣパネルの場合、パネルの厚さｔは通常１００ｍｍ〜１５０ｍｍ程度であり、よって、突出量δは、２５〜１００ｍｍ（ないしは３７．５ｍｍ〜１５０ｍｍ）の範囲となる。かかる突出量δが上記の上限を超えると、突出部の分だけパネル重量が増加することに起因して、風圧力による荷重の増加や地震時の揺れに対するパネルの取付部の取付強度に問題が生ずる可能性がある。
【００２３】
また、パネル本体１１の上端の短辺小口面１４ａおよび下端の短辺小口面１４ｂのうちのパネル幅方向略中央位置には、これら各短辺小口面１４ａ、１４ｂに対して直交する方向（鉛直方向）に、後述するパネル取付用のアンカー１９を挿入するためのアンカー挿入孔（縦孔）１５をそれぞれ設けている。これら各アンカー挿入孔１５の内径および深さは、コーナーパネル１ｂの重量や大きさ（特に厚さ寸法ｔや長さ寸法ｌ）、および、使用するアンカー１９との関係で規制される。なお、アンカー挿入孔は、この態様に限られず、たとえば、パネル本体１１の長辺小口面９ｂのパネル長手方向略上下端部から、短辺小口面１４ａ、１４ｂに対して平行となる方向に伸長する横孔とすることもできる。
【００２４】
さらに、本例の場合には、パネル本体１１の屋内側主面１３ａの上下方向２個所位置に、ボルト挿入孔１６をそれぞれ設けている。これら各ボルト挿入孔１６は、各アンカー挿入孔１５に対してそれぞれ直交する状態で連通している。また、各ボルト挿入孔１６の内径は、後述するボルト２３の先端側（雄ねじ部２８）の直径よりも僅かに大きい。
【００２５】
これに対して、パネル本体１１と共にコーナーパネル１ｂを構成する突出部１２には、上述のようなアンカー挿入孔１５、ボルト挿入孔１６の何れも設けていない。
【００２６】
次に、以上のような構成を有する本例のコーナーパネルパネル１ｂを、躯体に対して取り付ける際の取付構造について説明する。本例の場合には、コーナーパネル１ｂを取り付けるための躯体として、従来構造の場合のような角柱を使用せず、通常の縦壁パネルと同様に、建物の上下方向に離隔した状態でそれぞれ水平に配設された上部躯体１７ａおよび下部躯体１７ｂを利用する。より具体的には、コーナーパネル１ｂを、上部躯体１７ａおよび下部躯体１７ｂに対して、定規アングルなどの下地鋼材１８ａ、１８ｂを介して取り付ける。これら各下地鋼材１８ａ、１８ｂは、断面略Ｌ字型で、上部躯体１７ａおよび下部躯体１７ｂに対してそれぞれ固定されている。
【００２７】
上述のような上部躯体１７ａおよび下部躯体１７ｂ（下地鋼材１８ａ、１８ｂ）に対して、コーナーパネル１ｂを取り付けるためには、パネル本体１１に形成した２つのアンカー挿入孔１５内に、アンカー１９をそれぞれ挿入する。これら各アンカー１９は、略円柱状で、その長さ方向中間部に直径方向に貫通する状態で、ねじ孔２０が設けられている。そして、このようなアンカー１９を各アンカー挿入孔１５に挿入した状態で、各ねじ孔２０の中心軸を、各ボルト挿入孔１６の中心軸にそれぞれ一致させている。なお、各アンカー挿入孔１５に各アンカー１９を挿入する作業は、建物の施工現場で行うこともできるし、コーナーパネルの生産工場内で行うこともできる。何れにしても、各アンカー１９を各アンカー挿入孔１５に挿入した後は、コーナーパネル１ｂを所定の方法で吊り下げ、コーナーパネル１ｂを所定の取付位置まで移動させる。
【００２８】
コーナーパネル１ｂを所定位置にまで移動した後は、複数個の取付金具２２と複数個のボルト２３を利用して、コーナーパネル１ｂを各下地鋼材１８ａ、１８ｂに対して屋外側から取り付ける。このうちの取付金具２２は、縦断面形状がクランク形で、基半部２４と先半部２５とを折れ曲がり部２６により連続させてなる。また、このうちの先半部２５には、各ボルト２３の先端側を挿通自在な挿通孔２７が設けられている。また、各ボルト２３は、それぞれ先端側に、各アンカー１９に形成したねじ孔２０に螺合自在な雄ねじ部２８が設けられている。
【００２９】
このような取付金具２２およびボルト２３を利用して、コーナーパネル１ｂを各下地鋼材１８ａ、１８ｂに対して固定するために、まず、取付金具２２のうちの基半部２４とコーナーパネル１ｂとの間で各下地鋼材１８ａ、１８ｂの一部を挟持する。そして、この状態で、各取付金具２２の先半部２５に形成した挿通孔２７と、パネル本体１１の屋内側主面１３ａに開口したボルト挿入孔１６とを整合させる。そして、ボルト２３を、これら挿通孔２７、ボルト挿入孔１６の順に屋内側から挿入し、それぞれ雄ねじ部２８を各アンカー１９に形成したねじ孔２０に螺合させる。
【００３０】
以上のようにして、コーナーパネル１ｂを上部躯体１７ａおよび下部躯体１７ｂに対して取り付けた後は、コーナーパネル１ｂを構成する突出部１２の先端面（長辺小口面９ａ）と、隣接して設けられた隣接パネル２９との間の目地部分に、シーリング材３０や耐火目地材３１などを充填する。
【００３１】
以上のような構成を有する本例の場合には、長辺小口面から入隅面までの寸法が小さい場合にも、躯体に対して十分な強度で取り付けられると共に、施工性に優れ、しかも意匠設計上の自由度を高くできる。
【００３２】
すなわち、本例の場合には、コーナーパネル１ｂとして、長辺小口面９ａから入隅面１０ａまでの寸法に相当する前記突出量δが小さいものを使用するが、この突出量δを、パネル厚さ寸法ｔとの関係で適正に規制しているだけでなく、コーナーパネル１ｂをアンカー１９を利用して躯体に対して取り付けるようにしている。このため、コーナーパネル１ｂを構成する突出部１２を上部躯体１７ａおよび下部躯体１７ｂに対して固定しなくとも、パネル本体１１の上下２個所位置のみをこれら上部躯体１７ａおよび下部躯体１７ｂに対して固定するだけで、コーナーパネル１ｂ全体としての躯体に対する取付強度を十分に確保できる。
【００３３】
また、突出部１２を上部躯体１７ａおよび下部躯体１７ｂに対して固定する必要がないため、従来構造の場合のような、取付部材（Ｏボルト５）同士の干渉を生じることがなく、これに起因した施工性の低下を招くことがない。さらに、躯体に対する取付個所を２個所と少なくできるため、施工性の向上を図ることができる。
【００３４】
さらに、パネル本体１１の上下２個所位置のみを上部躯体１７ａおよび下部躯体１７ｂに対して固定するため、躯体として、従来構造の場合のような角柱を使用しなくて済む。したがって、壁面の意匠設計上の自由度の向上を図ることができて、建築主の要求に応えられやすくなる。
【００３５】
なお、コーナーパネル１ｂの建物躯体への取付構造は、上記の構成のアンカー１９とボルト２３とを用いることが好ましいが、予め埋設されたアンカー構造（たとえば、平プレートにロングナットを取り付けたタイプのアンカーを、パネル内部の補強筋に予め溶接で固定したもの）を備えるパネルのほか、公知の他の取付部材を用いたパネルの取付構造により、コーナーパネル１ｂを躯体へ取り付けることも可能である。
【００３６】
［実施の形態の第２例］
図４は、本発明の実施の形態の第２例を示している。本例の場合には、コーナーパネル１ｂと、隣接して設けられた隣接パネル２９ａとの配設状態が、上述した実施の形態の第１例の場合と異なる。すなわち、本例の場合には、コーナーパネル１ｂを構成する突出部１２の外側面に対して隣接する状態で、パネル２９ａを配置している。そして、突出部１２の外側面と、パネル２９ａの長辺小口面との間の目地部分に、シーリング材３０や耐火目地材３１などを充填している。パネルの配設状態が異なる点以外のその他の構成および作用効果は、実施の形態の第１例の場合と同様である。
【００３７】
［実施の形態の第３例］
図５〜７は、本発明の実施の形態の第３例を示している。本例の場合には、建物の入隅部用パネルとして好適なコーナーパネルの構造、および、該コーナーパネルを躯体に対して取り付ける際に好適な取付構造について説明する。
【００３８】
本例に用いるコーナーパネル１ｃは、前述した実施の形態の第１例および第２例で説明した出隅部用パネルであるコーナーパネル１ｂと基本的な構造は同じである。ただし、コーナーパネル１ｃのうち、長辺を構成するパネル本体１１ａに形成するボルト挿入孔１６ａに関しては、パネル本体１１ａの表裏反対に形成する。すなわち、本例の場合には、前記各ボルト孔１６ａを、パネル本体１１ａの屋外側主面１３ｂの上下方向２個所位置に形成している。
【００３９】
また、本例の場合には、コーナーパネル１ｃを下地鋼材１８ａ、１８ｂに対して屋内側から固定することにより、コーナーパネル１ｃを上部躯体１７ａおよび下部躯体１７ｂに対して取り付けている。
【００４０】
コーナーパネル１ｃの構造およびその取付構造に関しては、実施の形態の第１例の場合とほぼ同様であり、得られる作用および効果についても、この第１例の場合と同様である。
【産業上の利用可能性】
【００４１】
実施の形態の各例では、コーナーパネルを、上部躯体および下部躯体に対して、下地鋼材を介して取り付ける構造についてのみ説明したが、本発明はこのような構造に限定されるものではない。すなわち、コーナーパネルを、上部躯体および下部躯体に対して直接取り付ける構造を採用しても良い。
【符号の説明】
【００４２】
１、１ａ、１ｂ  コーナーパネル
２    目地プレート
３    コーナープレート
４    アンカー鋼棒
５    Ｏボルト
６    ナット
７    角柱
８    通孔
９、９ａ、９ｂ  長辺小口面
１０、１０ａ、１０ｂ  入隅面
１１、１１ａ  パネル本体
１２    突出部
１３ａ    屋内側主面
１３ｂ    屋外側主面
１４ａ、１４ｂ  短辺小口面
１５    アンカー挿入孔
１６    ボルト挿入孔
１７ａ    上部躯体
１７ｂ    下部躯体
１８ａ、１８ｂ  下地鋼材
１９    アンカー
２０    ねじ孔
２２    取付金具
２３    ボルト
２４    基半部
２５    先半部
２６    折れ曲がり部
２７    挿通孔
２８    雄ねじ部
２９、２９ａ  隣接パネル
３０    シーリング材
３１    耐火目地材
【図１】
2011099279.tif 000003
【図２】
2011099279.tif 000004
【図３】
2011099279.tif 000005
【図４】
2011099279.tif 000006
【図５】
2011099279.tif 000007
【図６】
2011099279.tif 000008
【図７】
2011099279.tif 000009
【図８】
2011099279.tif 000010
【図９】
2011099279.tif 000011